(57)【特許請求の範囲】
【請求項１】
壁面(W)に取付可能で、底面に温風吐出口(10)を形成したケーシング(1)内に、ファンユニット(F')及びヒータユニット(16)を具備する温風ファンユニット(F)を収納配設した温風乾燥機において、
前記温風ファンユニット(F)の制御基板(5)を、ケーシング前面内側面に、当該ケーシング(1)の壁側取付面から一定距離(L)だけ離隔させ、かつ、前記壁側取付面に対して略平行状態で、少なくとも前記温風ファンユニット(F)のファンケース(17)には接触しないように配設し、さらに、乾燥対象の存在を検出するセンサ(S)を、前記温風吐出口(10)よりも手前側となるように、前記制御基板(5)に取付けたことを特徴とする温風乾燥機。
【請求項２】
前記制御基板(5)を、その半田付面(5a)をケーシング前面側に向けた姿勢で配設したことを特徴とする請求項１記載の温風乾燥機。
【請求項３】
前記ケーシング(1)の壁側取付面となる背面(40)、及び／又は少なくとも底面(45)と側面のいずれかの壁面(W)寄りに、空気取入口(11)(43)を形成したことを特徴とする請求項１又は２に記載の温風乾燥機。
【請求項４】
前記温風ファンユニット(F)により、ケーシング(1)内を前側空間(18)と後側空間(19)とに区分し、前側空間(18)内に前記制御基板(5)を配設するとともに、後側空間(19)とケーシング(1)の底面に形成した空気取入口(11)と連通させて空気還流路(R2)を形成したことを特徴とする請求項１〜３のいずれかに記載の温風乾燥機。
【請求項５】
前記ファンユニット(F')に用いるファンをシロッコファン(14)とし、その空気流入部(F1)がケーシング(1)の前・後側に位置するように配設したことを特徴とする請求項１〜４のいずれかに記載の温風乾燥機。
【発明の詳細な説明】
【０００１】
【発明の属する技術分野】
本発明は、ファンユニットとヒータユニットを内蔵したケーシングを壁面に取付け、温風吐出口に手等を差し出して乾燥させることができる温風乾燥機に関するものである。
【０００２】
【従来の技術】
従来より、トイレや洗面所などの壁面に取付けられて、手を洗った後に温風で手を乾燥させるハンドドライヤと呼ばれる温風乾燥機がある。
【０００３】
図２５に、かかる温風乾燥機Ｘの一形態を示している。
【０００４】
100 は本体ケーシングであり、その内部にシロッコファン210 、ファンモータ220 、ヒータ230 を具備する温風ファンユニット200 を収納配設するとともに、底面110 に温風吐出口300 と空気取入口700 とを形成し、さらに、背面120 を壁側取付面として、取付ベース400 を介してビス等（図示せず）で壁に固着可能としている。130 は背面120 に形成した取付用孔である。
【０００５】
また、500 は温風乾燥機Ｘの制御基板であり、壁面に略直交する姿勢で本体ケーシング100 の側面側に配設している。510 は基盤取付部である。
【０００６】
600は手感知センサであり、本体ケーシング100 の底面110 の手前側に設けた前記温風吐出口300 と壁側に設けた前記空気取入口700 との間に設けている。
【０００７】
【発明が解決しようとする課題】
ところが、上記従来の温風乾燥機Ｘには、未だ以下の課題が残されていた。
【０００８】
すなわち、温風乾燥機Ｘは壁面に取付けられているので、壁面を伝って水等が本体ケーシング100 の背面に設けられた取付用孔130 や図示しない電線導入用孔等から本体ケーシング100 内に浸入し、温風ファンユニット200 の電気部品が故障したりすることがあった。
【０００９】
特に、制御基板500 には多数のチップ抵抗器やタイマーＩＣ等が密集して設けられており、半田付けされたこれらの端子間距離はきわめて短くなっている（例えば0.5 〜1.0mm ）。したがって、かかる制御基板500 が上述したように本体ケーシング100 の側面側に配設されていると、本体ケーシング100 内に浸入した水気が付着してショートしやすかった。
【００１０】
さらに、制御基板500 は空気取入口700 の近傍に位置しているため、埃や塵などが付着しやすく、これらが導電性を有するものであればやはりショートの原因となり、さらに、手を乾燥させているときに弾けた水気が空気取入口700 から吸引されたりすると、ますますショートを引き起こしやすいものであった。
【００１１】
また、図示するように、シロッコファン210 の配設姿勢が、空気流入部240 を側方に向けているために、温風ファンユニット200 の前後幅が大きくなり、当然ながらケーシング１の壁面からの張出量も大きくなってしまい、使用者に圧迫感を与えていた。
【００１２】
本発明は、上記課題を解決することのできる温風乾燥機を提供することを目的としている。
【００１３】
【発明が解決するための手段】
上記課題を解決するために、請求項１記載の本発明では、壁面に取付可能で、底面に温風吐出口を形成したケーシング内に、ファンユニット及びヒータユニットを具備する温風ファンユニットを収納配設した温風乾燥機において、前記温風ファンユニットの制御基板を、ケーシング前面内側面に、当該ケーシングの壁側取付面から一定距離だけ離隔させ、かつ、前記壁側取付面に対して略平行状態で、少なくとも前記温風ファンユニットのファンケースには接触しないように配設し、さらに、乾燥対象の存在を検出するセンサを、前記温風吐出口よりも手前側となるように、前記制御基板に取付けた。したがって、制御基板は壁面側から遠く位置することになるので、壁面側からの影響、例えば水の浸入や導電性を有する埃や塵の侵入による悪影響を可及的に回避することができる。また、センサ部分の清掃も容易となるとともに、センサ取付用の別部材が不要となり、本温風乾燥機の組立作業工程が容易となる。
【００１４】
また、請求項２記載の本発明では、前記制御基板を、その半田付面をケーシング前面側に向けた姿勢で配設した。したがって、半田付面に水や埃等が付着しにくくなる。
【００１６】
また、請求項３記載の本発明では、前記ケーシングの壁側取付面となる背面、及び／又は少なくとも底面と側面のいずれかの壁面寄りに、空気取入口を形成した。したがって、壁面が気流のガイドとなって吸気効率が向上するとともに、制御基板に埃や塵が付着しにくくなる。
【００１７】
また、請求項４記載の本発明では、前記温風ファンユニットにより、ケーシング内を前側空間と後側空間とに区分し、前側空間内に前記制御基板を配設するとともに、後側空間とケーシングの底面に形成した空気取入口と連通させて空気還流路を形成した。したがって、吸気抵抗が小さくなって吸気効率が高まるとともに、制御基板に埃や塵等が付着しにくくなる。
【００１８】
また、請求項５記載の本発明では、前記温風ファンユニットに用いるファンをシロッコファンとし、その空気流入部がケーシングの前・後側に位置するように配設した。したがって、大風量を得ることができるので乾燥時間を短縮することができるとともに、シロッコファンの前後幅が短くなるのでケーシングを薄型に形成することができる。
【００２１】
【発明の実施の形態】
本発明に係る温風乾燥機は、壁面に取付可能なケーシング内に、ファン及びヒータを具備する温風ファンユニットを収納配設するとともに、その制御基板を、ケーシング前面側で、かつケーシングの壁側取付面に対して略平行状態に配設したものである。
【００２２】
通常の使用形態では、本温風乾燥機はトイレや洗面所等の壁面に取付けられ、使用者は手を洗った後に本温風乾燥機の下方に手を差し出し、前記温風ファンユニットを駆動させて手を乾燥させる。また、後述するようにセンサを具備させ、これにより手等を検出し、前記温風ファンユニットをタイマーにより所定時間駆動させて手を乾燥させるようにすることができる。
【００２３】
かかる温風乾燥機において、前記制御基板の配設姿勢を、その半田付面をケーシング前面側に向けた姿勢としている。
【００２４】
すなわち、制御基板を壁面側から可及的に遠い位置として、壁面側からの影響、例えば水の浸入による悪影響を可及的に回避しながら、かつ、制御基板に密集状態に設けられた多数のチップ抵抗器やタイマーＩＣ等の端子を固着する半田付け面に、水や埃等が付着しないようにしたものである。かかる構成により、水や埃や塵などに起因する電気的故障を未然に防止することができる。
【００２５】
また、前記制御基板は、ケーシング前面内側面に取付けることが好ましい。すなわち、ケーシングの背面からボスなどを突設してこれに取付けたりすると、ボスを伝って水が制御基板に達するおそれがあり、また、温風ファンユニットに取付けると、ファンモータによる振動が直接伝わり、制御回路の各部品のリード等が折損したり、半田が欠損したりするおそれがあるからである。
【００２６】
本発明に係る温風乾燥機は、空気取入口を備えているが、これは後記する理由から、ケーシングの壁側取付面となる背面、及び／又は少なくとも底面と側面のいずれかの壁面寄りに設けるとよい。
【００２７】
すなわち、かかる構成とすれば、使用者側（正面）から空気取入口が見えないので見栄えがよくなるとともに、ケーシングを薄型に形成して使用者への圧迫感をなくし、しかも、本機を取付ける壁面が空気流のガイドとなるので吸気効率を向上させることができる。
【００２８】
さらに、ケーシング内は、前記温風ファンユニットにより、前側空間と後側空間とに区分することができる。
【００２９】
そして、前側空間内にターミナルや多数の電子部品を集中して設けた前記制御基板を配設して埃や塵等をより付着しにくくするとともに、気流の抵抗物となるものがない後側空間とケーシングの底面に形成した空気取入口と連通させて空気還流路を形成し、取り込む空気の吸気抵抗を小さくして吸気効率を高めることができる。
【００３０】
ところで、前記温風ファンユニットに用いるファンは、シロッコファンとすることが好ましい。すなわち、シロッコファンは軸流ファンなどに比べて大風量を得ることができるので乾燥時間を短縮することができるからである。
【００３１】
さらに、本発明に係る温風乾燥機は、前述したように、乾燥対象となる差し出された手等を検出して温風ユニットファンを自動的に駆動させるセンサを設けることができる。
【００３２】
すなわち、温風吐出口をケーシングの底面に形成して、温風を下方へ吹き出させるようにするとともに、前記センサを、この温風吐出口よりも前側、すなわち、使用者側に取付けるものである。このときに、前述したように、制御基板の配設位置が温風吐出口よりも使用者側となっているので、センサをこの制御基板に直接取付けることができる。
【００３３】
かかる構成とすることにより、手等を乾燥させている際に巻き上げる埃や塵等が空気取入口に向かって壁側に引き寄せられることになり、かかる塵や埃がセンサに付着して動作不良を生じたりすることを可及的に防止でき、しかも、センサ部分の清掃も行いやすくなる。
【００３４】
さらに、前記センサを制御基板に取付けることで、センサ取付け用の別部材が不要となり、本温風乾燥機の組立作業工程が容易となり製造効率が向上する。
【００３５】
このように、本発明に係る温風乾燥機は、壁面に設置して使用するに際し、見栄え及び使い勝手が良好で、壁面に水をかけて洗ったりした場合に水がケーシング内に浸入しても制御基板が悪影響を受けることがないので故障が少なく、その機能を十分に発揮することができる。
【００３６】
【実施例】
以下、本発明の実施例を説明する。
【００３７】
図１は本実施例に係る温風乾燥機Ａの使用状態を示す説明図であり、図示するように、本温風乾燥機Ａはケーシング１と、同ケーシング１に着脱自在に取付けた水受板２とから構成しており、トイレや洗面所等の壁面Ｗに取付けて使用される。
【００３８】
使用者は、手洗い後、温風乾燥機Ａの下方に手を差し出せば、センサＳによりこれを検出し、ケーシング１に内蔵している温風ファンユニットＦをタイマーにより所定時間駆動させて手を乾燥させるように機能するものである。そして、手から滴り落ちる水は水受板２で受けることができるので、床面等を濡らすことがない。また、所定時間内に手を除いた場合は、センサＳは乾燥対象物がないことを検出して温風ファンユニットＦを停止させることができる。
【００３９】
以下、さらに図面を参照しながら本実施例に係る温風乾燥機Ａの各部の構成について詳述する。図２はケーシング１の左側面図、図３は同ケーシング１の右側面図、図４は同背面図、図５は同底面図、図６は同断面図、図７は温風乾燥機Ａの分解斜視図、図８は同温風乾燥器Ａの背面側の説明図、図９はケーシング１の内部説明図である。
【００４０】
（ケーシング１）
先ず、本実施例に係る温風乾燥機Ａの本体をなすケーシング１について説明する。
【００４１】
図２〜図５に示すように、ケーシング１は合成樹脂製の前側カバー３と後側ケース４を突き合わせて形成しており、前側カバー３を図６に示すように温風ファンユニットＦ及び同ユニットＦの制御基板５を十分収納できる深さに形成するとともに、ケーシング１を壁面Ｗに取付けた状態で下部面となる底面30に温風吐出口10を形成している。同前側カバー３の底面30は下方にやや膨出した湾曲状としており、前記温風吐出口10を同底面30の略全幅にわたって広口に形成するとともに（図５）、耐熱性の高いステンレスやアルミニウムなどの金属製のグリル31を取付けている。
【００４２】
他方、後側ケース４は、前側カバー３よりも浅く形成するとともに、図４に示すように、壁面側となる背面40には壁面取付け用のベースプレート７（図６、図７参照）を着脱するためのプレート取付孔41、及び、導線挿通孔42を形成するとともに、複数個所に設けた空気取入用スリット43を形成している。Ｐはプラグ、P1は電源コードである。
【００４３】
また、背面40の表側（前側ケース側）の面には、温風ファンユニットＦを取付けるための複数のボス44を突設し、さらに、ケーシング１を壁面Ｗに取付けた状態で下部に位置する底面45に、図５に示すように多数のスリット11a からなる空気取入口11を形成している。
【００４４】
このように、本実施例に係る温風乾燥機Ａは、後に詳述する温風ファンユニットＦへ空気を取り入れるために、同空気取入口11と前記した空気取入用スリット43とを備えている。
【００４５】
空気取入用スリット43は、図４、図７、図８に示すように、後側ケース４の背面40に設けた凹部としての環状溝部６に形成されており、本実施例では、環状溝部６を構成する凹面に、断面視でコ字状の三次元的形状に形成されている。
【００４６】
なお、かかる空気取入用スリット43は、形成個所に応じて、例えばＬ字状からなる三次元的形状としてもよい。また、空気取入用スリット43という範疇には、断面視コ字状、Ｌ字状のように開口部が連続するものでなく、例えば格子状になっているものも含むものとする。
【００４７】
図１０に本実施例に係る温風乾燥機Ａの概略説明図を示しており、図示するように、複数個所に設けた空気取入用スリット43のうち、少なくとも一部のスリット群は、温風ファンユニットＦのファンモータ13の外周面と、温風ファンユニットＦのケーシングであるファンケース17の外周面との間に仮想投影面上で重なるように位置させて、温風ファンユニットＦへの空気吸入効率を向上させている。
【００４８】
F1は温風ファンユニットＦの空気流入部である。
【００４９】
かかる構成とすることにより、ファンモータ13の底面に邪魔されることなく、空気はファンケーシング17の壁面をガイドとして流れるとともに、ファンモータ13の周面をガイドとして空気流入部F1内に円滑に流入するものである。
【００５０】
なお、本実施例では温風ファンユニットＦにはシロッコファン14を用いているが、シロッコファン14に代えて例えば軸流ファンを使用した場合は、同ファンへの空気流入用開口部と空気取入用スリット43のうちの少なくとも一部のスリット群を仮想投影面上で重ならせることで同等な効果を得ることができる。
【００５１】
また、本実施例では、図１０(b) に示すように、ファンモータ13は環状溝部６の内側に形成される空間Ｑに余裕をもって収納されることになるので、同ファンモータ13からの放熱が良好となり、過熱するおそれがない。さらに、かかる空間Ｑにより、ファンモータ13からの配線が容易となる。図１０において、43' は環状溝部６の下方部に設けた空気取入用スリットであるが、このスリット43' は空気を取り入れる役割とともに、前記空間Ｑ及び環状溝部６の水抜き孔としての役割を果たす。
【００５２】
かかる構成とすることにより、シロッコファン14への空気の吸入効率がさらに向上し、温風乾燥機Ａとしての性能が向上する。
【００５３】
また、前記環状溝部６は、本実施例では背面40の上下方向へ長円状に形成しており（図１０(a) ）、同環状溝部６に前記電源コードP1を巻きつけてコード長さを調節することができる。しかも、このときに、空気取入用スリット43は三次元的に形成されているので、電源コードP1により完全に閉塞されることがなく、また、図示するように、電源コードP1を巻き付けたときに吸気効率を低下させないように逃げ空間43a を形成している。
【００５４】
さらに、空気取入用スリット43のエッジ部分が電源コードP1の滑りを防止するので電源コードP1の環状溝部６からの脱落を可及的に防止することができる。
【００５５】
また、環状溝部６の外方には、図４及び図８に示すように、所定の厚みを有する外周壁体61が形成されており、同外周壁体61には、空気取入用スリット43を介してケーシング１内へ空気を円滑に流入させるための空気導入用凹部62を、外周壁体61の側部または底部に複数個所形成している。本実施例では、かかる空気導入用凹部62を外周壁体61の側部に設けており、埃などが環状溝部６内に可及的に溜まらないようにしている。なお、底部に設けた場合は水抜き孔としても機能するので、例えば後側ケース４内に水が浸入しても円滑に排出することができる。
【００５６】
また、外周壁体61は、空気取入用スリット43の目隠し用壁体として機能するものであり、図２及び図３に示すように、空気取入用スリット43を前記空気導入用凹部62を避けた位置に形成することによって、外周壁体61により空気取入用スリット43を横方向からは見えないようにしている。このように、空気取入用スリット43を隠蔽することで温風乾燥機Ａのデザイン性を向上させ、スマートな外観を創出している。
【００５７】
なお、図４及び図８中、46は水受板取付部であり、浅く凹状に形成し、その左右側壁を横ずれ規制部47として、後に詳述する水受板２の横ずれを防止している。
【００５８】
図１１に本実施例に係る環状溝部６の変形例を示す。これは、環状溝部６を長円状ではなく略真円状としたものであり、かつ、ここでは空気流入部F1に向けて漸次テーパを設けた擂鉢状の空気案内用筒体17a を設けている。
【００５９】
したがって、環状溝部６の全周から空気を取入れることができるとともに、前記空気案内用筒体17a により吸気効率が著しく高まっている。
【００６０】
なお、図１０、図１１中、Ｃはファンケース17の外径、C1はファンモータ13の外径、C2は空気取入用スリット43からなるスリット群の位置する範囲を示しており、ここでのファンケース17の外径とは、シロッコファン14を収容している円状の部分を指している。
【００６１】
また、図１２に環状凹部の他の形態を示している。ここでは、外周壁体61を廃止して、環状凹部６の形状を溝状ではなく窪み状凹部6'としており、空気取入用スリット43はＬ字状に形成されている。なお、この変形例として、図１３に示すように、空気取入用スリット43を目隠しする壁体としての板状外壁61' を形成することができる。
【００６２】
（温風ファンユニットＦ）
ここで、前記温風ファンユニットＦについてさらに詳述する。本実施例では、前述したように、ファンとしてシロッコファン14を用いて大風量を確保するようにしている。
【００６３】
本実施例に係る温風ファンユニットＦは、図６及び図７に示すように、金属製のユニット取付板12を介して、後側ケース４に設けたボス44にゴムやシリコンからなる防振リング48を介して取付けている。
【００６４】
すなわち、図７に示すように、ユニット取付板12に形成したファンモータ配設用穴12a にファンモータ13とシロッコファン14とからなるファンユニットF'を挿通状態に配設し、遮熱ケース15内に収容したヒータユニット16を前記ファンユニットF'の下方に位置させ、さらに、Ｐ字状に形成して送風路R1（図５及び図６参照）を伸延形成したファンケース17で包被し、同ファンケース17を前記ユニット取付板12を介してボス44にビス止めしている。15a,15a は、遮熱ケース15の先端に設けた風路絞り片であり、シロッコファン14からの送風を絞ることにより風速を早めている。
【００６５】
なお、本実施例におけるヒータユニット16は、Ｘ字状に構成した取付基板16a に板状のヒータ線16b を螺旋状に巻回して構成している。
【００６６】
また、かかる温風ファンユニットＦをケーシング１内に配設することにより、同ケーシング１内を図６に示すように前側空間18と後側空間19とに区分し、後側空間19は、前記空気取入口11と連通して空気還流路R2を形成している。
【００６７】
図１４に本温風乾燥機Ａの断面視による使用状態説明図を示しており、図示するように、かかる空気還流路R2を設けたことにより、温風吐出口10から吐出された温風が空気取入口11に還流し、温かい空気のまま温風ファンユニットＦに供給されることになるので加熱効率が良好となり、しかも、この温かい空気は流路抵抗の少ない空気還流路R2を通るので吸気効率も向上する。
【００６８】
また、ユニット取付板12の下端縁がケーシング１の底面（本実施例では前側カバー３の底面30）から離隔しており、かつ、温風吐出口10よりも一定距離D1だけ後方に位置させているので、金属であるユニット取付板12に使用中に触れるおそれがなく、感電などを確実に防止している。なお、図１４では水受板２を外して使用している状態を示している。
【００６９】
さらに、図１５に温風吐出状態説明図を示しており、図示するように、ファンケース17の送風路R1の先端開口部は、温風吐出口10よりも小さく、かつ、中央寄りとしているので、温風吐出時に、送風路R1の先端開口部両側部分にはエジェクタ効果によって空気の流れｆが生じ、この空気流ｆによりカビの発生、カビによる臭気の発生を防止することができる。
【００７０】
また、温風ファンユニットＦは、前記したように、Ｘ字状の取付基板16a にヒータ線16b を巻回し、かつ、温度ヒューズ等の他の部品を組み込んで構成しているので、高温になる部分とさほど温度が上昇しない部分とのばらつきを生じ、しかも、前記取付基板16a がガイドとなってその温度分布がばらついたまま送風路R1内から吐出されることになる。
【００７１】
そこで、温風吐出口10を、前述したように前側カバー３の底面30の略全幅にわたって広口に形成するとともに、同温風吐出口10に耐熱性の高い金属製のグリル31を取付け（図５参照）、仮に熱が一個所に集中しても熱によるグリル31の変形がないようにしている。しかも、グリル31は湾曲形成されているので、単位面積当たりの手等に対する熱の伝達量は小さく、体感温度を緩和することができる。
【００７２】
しかも、この金属製のグリル31は熱伝導率が高く、かつ前記したように広幅となっているので冷却効果が高く、グリル31全体における温度の均一化が速やかに図れ、仮に使用者が誤って触れても体感温度として高温に感じられることがなく、火傷のおそれがないものである。なお、かかるグリル31にフロッキー処理を施せば、さらに体感温度をさらに下げることができる。
【００７３】
ところで、本実施例に係る温風乾燥機Ａは、前述したように空気取入口11を後側ケース４の底面45と背面40とに形成しているが、かかる空気取入口11は底面45と背面40のいずれか一方に、あるいは、後側ケース４の側面に形成してもよい。
【００７４】
この場合、見栄えがよくなるように、使用者側（正面）から空気取入口11が見えない壁面Ｗ寄りに形成することが好ましい。
【００７５】
かかる構成とすることにより、ケーシング１を薄型に形成することができ、使用者への圧迫感をなくし、しかも、本温風乾燥機Ａを取付ける壁面Ｗが空気流のガイドとなるので吸気効率を向上させることができる。
【００７６】
（制御基板５）
次に、図６、図７、図９、図１６及び図１７を参照しながら温風ユニットファンＦの制御基板５について説明する。図１６は制御基板５の前側カバー３側から見た斜視図、図１７は本温風乾燥機Ａの電気配線接続図である。
【００７７】
制御基板５は、図９及び図１６に示すように、一側端にシロッコファン14の空気流入部F1に対応する凹部51を形成した板状としており、図９に示された面、すなわち壁面Ｗに取付けた状態で壁面Ｗ側の面に、100 Ｖ降圧用抵抗52、ファンモータ13用のスイッチング素子53、コンデンサ54、ターミナル55等の大きめの部品を取付けており、これらはその裏面5aにて端子を半田付けしている（図１６）。
【００７８】
また、図１６に示すように、かかる裏面5a（制御基板５の前側カバー３側の面）には、多数のチップ抵抗器56やタイマーＩＣ57等が取付けられている。これらのリードも半田付けされており、図示するように、この面には多数の半田58が施されて、各半田間距離もきわめて短くなっている。
【００７９】
さらに、図７に示すように、前記ターミナル55にプラグＰ、ファンモータ13、コイルヒータ16及び同ヒータ16用のトライアック13a からの各リード線Ｅを集中して接続しており、図９に示すように、ターミナル55は制御基板５の長手側側壁に、トライアック13a は温風ファンユニットＦ用のユニット取付板12にそれぞれビス止めされている。図９、図１７中、E1はリード線Ｅを複数本ずつ束ねて被覆した保護チューブである。
【００８０】
かかる制御基板５は、ケーシング１前面側で、かつケーシング１の壁側取付面に対して略平行状態に配設されている。
【００８１】
すなわち、図６に示すように、前述した制御基板５を、前記ケーシング１内に形成された前側空間18内に、後側ケース４の背面40から一定距離Ｌだけ離隔して略平行に配設するとともに、その配設姿勢として、半田付面となる裏面5aをケーシング１の前面側、すなわち前側カバー３に対向させた状態で同前側カバー３にビス止めし、少なくともファンケース17には接触しないようにしている。32は前側カバー３の内側面に突設した制御基板取付用ボスである。なお、制御基板５の取付けはビス止めに限らず溶着などの方法でも構わない。
【００８２】
このように、制御基板５を、壁面Ｗに接する後側ケース４の背面40から一定距離Ｌだけ離れた遠い位置で、かつ、空気還流路R2との間に温風ファンユニットＦを介在させて配設することにより、壁面Ｗからの影響、すなわち、制御基板５に密集状態に設けられた前記多数のチップ抵抗器56やタイマーＩＣ57等のリードを固着する半田面（裏面5a）に、水や導電性を有する埃や塵等が付着することを可及的に防止することができ、これら水や埃や塵などに起因する電気的故障を未然に防止することができる。
【００８３】
また、前記制御基板５を前側カバー３に取付けたことで、例えば後側ケース４の背面40にボスを突設してこれに取付けた場合に比べ、水がかかるボスを伝わることがないので水からの影響を確実に回避でき、また、例えば温風ファンユニットＦのファンケース17等に取付けた場合に比べ、ファンモータ13による振動が直接伝わることもないので、制御回路の各部品のリード等が折損したり、半田が欠損したりするおそれもない。
【００８４】
また、制御基板５に取付けた大きめの部品のうち、100 Ｖ降圧用抵抗52とスイッチング素子53は特に発熱性が高いものであるが、これらを前側カバー３に対して制御基板５の反対側に位置させているので、前側カバー３がこれらから直接加熱されることがなく、前側カバー３が異常に温度上昇して使用者が不安にかられたりするおそれもない。
【００８５】
しかも、本実施例では、図６に示すように、前記した発熱性の高い100 Ｖ降圧用抵抗52やスイッチング素子53は、前側の空気流入部F1寄りに配置されているので、空気の流れにより冷却することができ、その発熱による悪影響を可及的に防止している。
【００８６】
なお、本実施例に係る制御基板５では、チップ抵抗器56やタイマーＩＣ57の小さめの部品が半田付面（裏面5a）に取付けられたものとしたが、制御基板５の半田付面（裏面5a）をケーシング１の前側面に対向させた状態で配設する構成であれば、制御基板５としては、小さめの部品が前記した大きめの部品側に取付けたものであっても本発明に含まれるものである。
【００８７】
（センサＳ）
さらに、本実施例においては、図５、図６、図９及び図１４に示すように、前記制御基板５の先端部の壁面Ｗ側の面に、手等の乾燥対象を検出する赤外線式のセンサＳを設けている。図５、図９中、S1は発光部、S2は受光部である。
【００８８】
また、センサＳの前方となる前側カバー３の底面30の温風吐出口10よりも前側には、赤外線を透過し、可視光線を遮断するスモーク状のセンサカバー８を設けている。
【００８９】
そして、同センサカバー８は、図６及び図１４に示すように、前側カバー３の底面30を湾曲状に形成して前記温風吐出口10よりも所定距離D2だけ上方に位置させている。
【００９０】
すなわち、図１４に示すように、手等を乾燥させているときに、ケーシング１の下方では手の水気や埃、塵等が巻き上がるが、これらがセンサカバー８に付着しにくくなり、しかも、温風吐出口10の近傍で壁面Ｗ側に空気取入口11が位置しているので、巻き上げられた水気や埃、塵等は壁面Ｗ側に吸い寄せられ、センサカバー８を汚したりすることを可及的に防止される。
【００９１】
さらに、図５に示すように、センサカバー８の一端側には温風切替スイッチ81を設けている。
【００９２】
これは、図２４(a) に示すように、温風の出力をOFF 、LOW 、HIGHと切替えるもので、手動により操作するようにしており、OFF とした場合、センサＳは作動したままで検出信号を制御回路に送るが、制御回路ではヒータ線16b 、ファンモータ13への通電は遮断して作動を停止させるものである。
【００９３】
また、LOW とHIGHとでは、ファンモータ13の能力は60Ｗで変わらず、ヒータ能力600 Ｗから1200Ｗと倍増するようにしている。
【００９４】
本実施例では、かかる温風切替スイッチ81をセンサカバー８に取付けたことにより、操作性が良好となり、かつ、本温風乾燥機Ａの製造組立時の作業性を向上させている。
【００９５】
また、センサＳを制御基板５に取付けているために、専用の取付部材を必要とせず、その他の関係部品の組立と同時に組付作業を行えるので作業効率が向上する。しかも、接続コードが不要となるので断線による故障などがない。
【００９６】
図２４(b) に本温風乾燥機Ａの制御ブロック図を示している。
【００９７】
センサＳが手等の乾燥対象を検出すると、その検出信号を受けて、制御回路ではヒータユニット16及びファンユニットF'を駆動させるとともに、タイマＩＣ57では時間のカウントを開始し、所定時間が経過するとその信号を制御回路に送信し、制御回路は前記ヒータユニット16及びファンユニットF'の駆動を停止させるようにしている。なお、センサＳとしては、上記した赤外線式に限らず、超音波式や焦電式のものでも構わない。
【００９８】
（水受板２）
次に、水受板２について、図１、図７、図８、及び図１８を参照しながら説明する。図１８は水受板２を取付けた状態を示す断面図、図１９は水受板２を取り外す動作説明図である。
【００９９】
水受板２は、図１に示すように、洗った手を温風により乾燥する際に、滴り落ちる水が床面などに落ちる前に中途で受けるもので、図７及び図８に示すように、それぞれ合成樹脂製で軽量とした適宜広さの皿状本体21と、同皿状本体21の後縁21a に連結した係止用吊下部材22とから構成している。そして、図１８に示すように、ケーシング１を構成する後側ケース４の背面40に、すなわち、壁面Ｗ側に近接した位置において、ベースプレート７を介して着脱自在に吊下状態に取付けている。
【０１００】
ベースプレート７は、図７及び図８に示すように、壁面Ｗにビス等で固着するためのビス孔70a を四隅に設けた略矩形形状のプレート本体70と、同本体70の上部から上方へ直伸した状態で連設され、先端を折曲して後側ケース４に係合可能としたケーシング側係止片71と、プレート本体70の下部に連設され、先端にフック部72a を形成した水受板側係止片72とからなる板状のプレートであり、本実施例では金属製としている。
【０１０１】
前記水受板側係止片72は、プレート本体70と面一状態で、前記ケーシング側係止片71よりも短めに下方へ伸延させており、先端に形成したフック部72a は壁面Ｗに近接するように小さな張出量としている。
【０１０２】
なお、73は指で簡単に回転着脱可能としたネジであり、このネジ73により、ベースプレート７は後側ケース４に着脱自在に係合状態で取付ることができる。
【０１０３】
また、プレート本体70には、前記ケーシング側係止片71の左右両側と、前記水受板側係止片72の上部側との３個所に、後側ケース４のプレート取付孔41に係脱自在とした爪片74,74,74を設けており、かかる爪片74,74,74でケーシング１を支持するとともに、前記ネジ73によりケーシング１をガタつくことなく保持可能としている。
【０１０４】
かかるベースプレート７に水受板２は着脱自在に取付けられるものであるが、同水受板２の皿状本体21は、図１８に示すように、後縁21a を壁面Ｗに密着可能な直線状に形成しており（図１参照）、係止用吊下部材22は、前記皿状本体21の後縁側に設けた凹部に嵌合状態で連結している。25は連結用ビスである。
【０１０５】
そして、この係止用吊下部材22の上端に、前記ベースプレート７の水受板側係止片72に設けたフック部72a に係合する凸条23を形成し、さらに、同凸条23の上方に、ケーシング１とベースプレート７との間で挟持される舌片24を連設している。
【０１０６】
かかる構成としたことにより、水受板２はベースプレート７に確実、かつ簡単に着脱自在とすることができる。そして、図１８に示すように、前記舌片24がケーシング１とベースプレート７とに挟持されているために、子供等の悪戯などにより水受板２に特別な力が加えられてもずれたり脱落したりすることがない。
【０１０７】
しかも、ベースプレート７を介してケーシング１も壁面Ｗに取付けられているので、水受板２に加えられた力はケーシング１には直接作用しないので、ケーシング１が壁面Ｗから脱落したりするおそれもない。
【０１０８】
さらに、前述したように、ケーシング１の後側ケース４の背面40下部には、舌片24の横ずれ規制部47が形成されているので（図８参照）、左右に傾斜したりして見栄えを損なったり、皿状本体21に溜まった水を零すことがない。
【０１０９】
かかる水受板２をベースプレート７に取付ける場合は、前記舌片24を後側ケース４の水受板取付部46に挿入し、舌片24の付け根に位置する凸条23をベースプレート７のフック部72a に係合すればよく、取り外す場合は、図１９に示すように、舌片24の撓みを利用して水受板２自体を手前にやや引いた状態で下方へ引き下ろせばよく、着脱はきわめて容易に行える。
【０１１０】
図２０及び図２１にケーシング１を直接壁面Ｗに取付けた場合の例を示す。こられの場合の水受板２は、ベースプレート７に代わる水受板連結プレート7'を用いて取付けられている。
【０１１１】
すなわち、図２０では、かかる水受板連結プレート7'をケーシング１の背面40にビス止めし、同水受板連結プレート7'の下端に形成したフック7a' に水受板２の凸条23を係止している。
【０１１２】
また、図２１では、水受板連結プレート7'の下端を折曲して係合片7b' を形成するとともに、水受板２の係止用吊下部材22の上端に前記係合片7b' に対応する係合片22b を形成して、両係合片7b',22b 同士を突き合わせた状態で、コ字状に形成した連結用部材26を嵌着して連結している。
【０１１３】
いずれにしても、水受板２のケーシング１への取付け位置は壁面Ｗ寄りとなっているので、水受板２に力が加えられても、かかる力に対してケーシング１に作用するモーメントは小さいので、壁面Ｗからケーシング１が脱落したりするおそれがなく安全である。
【０１１４】
以上、実施例を通して本発明を説明してきたが、上記した温風ファンユニットＦに用いるファンはシロッコファン14に限るものではなく、図２２に示すように、軸流ファン14' を用いることもできる。
【０１１５】
さらに、図２３に示すように、本発明の要部をなす制御基板５を配設したケーシング１の前側空間18と後側空間19との間に、セパレータ９を設けて前側空間18と後側空間19とを完全に区画形成することもできる。91はパッキンである。
【０１１６】
ここでもファンを軸流ファン14' としたが、先の実施例のように、シロッコファン14を用いた場合にもこのセパレータ９を設けることができることは当然である。
【０１１７】
なお、ヒータユニット16としては本実施例の構成に限るものではなく、面状のものなどを用いてもよい。
【０１１８】
さらに、前記水受板２は、ケーシング１の取付個所下方にカウンター等がある場合は取り外して用いてもよい。
【０１１９】
なお、本発明に係る温風乾燥機Ａは必ずしも上記してきたようにハンドドライヤとして使用するだけでなく、毛髪乾燥機等の他用途に供することができる。
【０１２０】
また、センサＳの検出により自動的に駆動するように構成する必要はなく、センサＳに代えて、例えば押しボタン式で１回のプッシュ操作でヒータユニット16とファンユニットF'を駆動させ、再度プッシュ操作するとOFF とするなど、手動によるスイッチ式としてもよい。
【０１２１】
【発明の効果】
本発明は、以上説明してきたような形態で実施され、以下のような効果を奏する。
【０１２２】
（１）請求項１記載の本発明では、壁面に取付可能で、底面に温風吐出口を形成したケーシング内に、ファンユニット及びヒータユニットを具備する温風ファンユニットを収納配設した温風乾燥機において、前記温風ファンユニットの制御基板を、ケーシング前面内側面に、当該ケーシングの壁側取付面から一定距離だけ離隔させ、かつ、前記壁側取付面に対して略平行状態で、少なくとも前記温風ファンユニットのファンケースには接触しないように配設し、さらに、乾燥対象の存在を検出するセンサを、前記温風吐出口よりも手前側となるように、前記制御基板に取付けたことにより、コンパクトな構成でありながら、制御基板は壁面側から遠く位置することになるので、壁面側からの影響、例えば水の浸入や導電性を有する埃や塵の侵入による悪影響を可及的に回避することができる。また、温風ファンユニットからの振動なども伝わりにくくなって、制御回路の部品のリードの折損や半田付けの欠損などを防止できる。さらに、センサ部分の清掃も容易となるとともに、センサ取付用の別部材が不要となり、本温風乾燥機の組立作業工程が容易となる。
【０１２３】
（２）請求項２記載の本発明では、前記制御基板を、その半田付面をケーシング前面側に向けた姿勢で配設したことにより、上記（１）の効果をより高め、半田付面に水や埃等を付着しにくくすることができる。
【０１２５】
（３）請求項３記載の本発明では、前記ケーシングの壁側取付面となる背面及び／又は少なくとも底面と側面のいずれかの壁面寄りに、空気取入口を形成したことにより、上記（１）、（２）の効果に加え、壁面が気流のガイドとなって吸気効率が向上するとともに、制御基板と空気取入口との間に温風ファンユニットが介在することになるので吸気時に侵入する埃や塵が制御基板に付着しにくくなる。
【０１２６】
（４）請求項４記載の本発明では、前記温風ファンユニットにより、ケーシング内を前側空間と後側空間とに区分し、前側空間内に前記制御基板を配設するとともに、後側空間を、ケーシングの底面に形成した空気取入口と連通させて空気還流路を形成したことにより、上記（１）〜（３）の効果に加え、吸気抵抗が小さくなって吸気効率をより高めることができるとともに、制御基板に埃や塵等をより付着しにくくすることができる。
【０１２７】
（５）請求項５記載の本発明では、前記温風ファンユニットに用いるファンをシロッコファンとし、その空気流入部がケーシングの前・後側に位置するように配設したことにより、上記（１）〜（４）の効果に加え、大風量を得ることができるので乾燥時間を短縮することができるとともに、ケーシングを薄型として壁面への収まりを向上させ、使用者にも圧迫感を与えることがない。
【図面の簡単な説明】
【図１】本発明に係る温風乾燥機の使用状態を示す説明図である。
【図２】同温風乾燥機のケーシングの左側面図である。
【図３】同右側面図である。
【図４】同背面図である。
【図５】同底面図である。
【図６】同断面図である。
【図７】同温風乾燥機の分解斜視図である。
【図８】同温風乾燥器の背面側の説明図である。
【図９】同温風乾燥機のケーシングの内部説明図である。
【図１０】本発明に係る温風乾燥機の概略説明図である。
【図１１】本実施例の変形例に係る温風乾燥機の概略説明図である。
【図１２】他の実施例に係る温風乾燥機の概略説明図である。
【図１３】他の実施例の変形例に係る温風乾燥機の概略説明図である。
【図１４】本実施例に係る温風乾燥機の断面視による使用状態説明図である。
【図１５】同温風乾燥機の温風吐出状態説明図である。
【図１６】制御基板の斜視図である。
【図１７】本発明に係る温風乾燥機の電気配線接続図である。
【図１８】同水受板を取付けた状態を示す断面図である。
【図１９】同水受板を取り外す動作説明図である。
【図２０】他の実施例に係る温風乾燥機の説明図である。
【図２１】他の実施例に係る温風乾燥機の説明図である。
【図２２】他の実施例に係る温風乾燥器の説明図である。
【図２３】他の実施例に係る温風乾燥機の説明図である。
【図２４】本実施例に係る温風乾燥機の制御ブロック図及び温風切替スイッチの説明図である。
【図２５】従来の温風乾燥機の説明図である。
【符号の説明】
Ａ  温風乾燥機
Ｆ  温風ファンユニット
F'  ファンユニット
R2  空気還流路
Ｓ  センサ
Ｗ  壁面
１  ケーシング
２  水受板
３  前側カバー
４  後側ケース
５  制御基板
10  温風吐出口
11  空気取入口
12  ユニット取付板
13  ファンモータ
14  シロッコファン
16  ヒータユニット
18  前側空間
19  後側空間
40  背面
【図１】
0003878274.tif 000002
【図２】
0003878274.tif 000003
【図３】
0003878274.tif 000004
【図４】
0003878274.tif 000005
【図５】
0003878274.tif 000006
【図６】
0003878274.tif 000007
【図７】
0003878274.tif 000008
【図８】
0003878274.tif 000009
【図９】
0003878274.tif 000010
【図１０】
0003878274.tif 000011
【図１１】
0003878274.tif 000012
【図１２】
0003878274.tif 000013
【図１３】
0003878274.tif 000014
【図１４】
0003878274.tif 000015
【図１５】
0003878274.tif 000016
【図１６】
0003878274.tif 000017
【図１７】
0003878274.tif 000018
【図１８】
0003878274.tif 000019
【図１９】
0003878274.tif 000020
【図２０】
0003878274.tif 000021
【図２１】
0003878274.tif 000022
【図２２】
0003878274.tif 000023
【図２３】
0003878274.tif 000024
【図２４】
0003878274.tif 000025
【図２５】
0003878274.tif 000026